(57)【特許請求の範囲】
【請求項１】
後上がりに移動するラグ（１）を多数有するデバイダ（２）と、前端を圃場面近くに設けると共に後端を走行車体（１０）の後部上方に設けたフレーム（２９）の前後両端部に各々設けた回転体（３０，３１）に無端搬送体（３２）を巻き掛けて圃場に植生している根菜作物を引き抜き・搬送する引き抜き搬送装置（３）とを一体に構成し、
機体の後部に前記引き抜き搬送装置（３）の無端搬送体（３２）によって搬送されてきた根菜作物（４）の茎葉部（５）を受け継いで後方に搬送する茎葉部搬送装置（１２）を設け、該茎葉部搬送装置（１２）は前後方向に長い機枠の前後端部に各々回転可能に設けた輪体（７８，７９）に無端搬送帯（８０）を巻き掛けた茎葉搬送体（８１）を上下方向に複数設けて構成し、該茎葉搬送体（８１）の機枠の前後方向の中間部に根菜作物（４）の茎葉部（５）を切断する切断刃（６）を設け、
該デバイダ（２）、引き抜き搬送装置（３）及び切断刃（６）を駆動する伝動機構を内装する駆動ケース（７）は、前記切断刃（６）の後方に配置し、
該伝動ケース（７）の後方に伝動機構（９７）を介して引き抜き搬送装置（３）を駆動する無端搬送体駆動軸（７４）と前記切断刃（６）を備える茎葉部搬送装置（１２）を駆動する縦ギヤボックス（８２）とに駆動力を伝動する後方駆動ケース（５１）を配置し、伝動ケース（７）から後方駆動ケース（５１）に駆動力を伝動する連結ケース（６９）により後方駆動ケース（５１）と伝動ケース（７）とを連結し、
前記デバイダ（２）の横方向の間隔は１５０ｍｍ〜２００ｍｍで構成し、
前端部を鋭角状に形成したソイラ（４０）を設けるにあたり、前記デバイダ（２）の下端部に配置し、後端部を機体の前後方向に長く形成し、且つ後端部を走行車体（１０）の後部に立設した支柱（４８）の上端部に回動可能に設けて取り付けた前後フレーム（４２）の前端部に着脱自在に構成し、前後方向においてはデバイダ（２）を通る仮想線上に設けるように構成したことを特徴とする根菜作物収穫機。
【発明の詳細な説明】
【０００１】
【発明の属する技術分野】
本発明は、人参などの根菜作物収穫機に関する。
【０００２】
【従来の技術】
従来の根菜作物収穫機は、デバイダや引き抜き搬送装置や切断刃等を備え、圃場の根菜作物を収穫する構成としている。
【０００３】
【発明が解決しようとする課題】
然し乍ら、機体の各部を駆動する駆動部が複雑で合理的な構成でない。
したがって、デバイダ及び引き抜き搬送装置を回動中心部を中心に一体に上下方向に移動する根菜作物収穫機では、伝動機構を合理的に構成する必要がある。また、デバイダ及び引き抜き搬送装置の上方への回動量がすくないので、凹凸の激しい圃場での走行や旋回が難しいという欠点がある。
【０００４】
【課題を解決するための手段】
本発明は、上述した課題を解決するために、次の如き技術手段を講じた。
すなわち、後上がりに移動するラグ（１）を多数有するデバイダ（２）と、前端を圃場面近くに設けると共に後端を走行車体（１０）の後部上方に設けたフレーム（２９）の前後両端部に各々設けた回転体（３０，３１）に無端搬送体（３２）を巻き掛けて圃場に植生している根菜作物を引き抜き・搬送する引き抜き搬送装置（３）とを一体に構成し、機体の後部に前記引き抜き搬送装置（３）の無端搬送体（３２）によって搬送されてきた根菜作物（４）の茎葉部（５）を受け継いで後方に搬送する茎葉部搬送装置（１２）を設け、該茎葉部搬送装置（１２）は前後方向に長い機枠の前後端部に各々回転可能に設けた輪体（７８，７９）に無端搬送帯（８０）を巻き掛けた茎葉搬送体（８１）を上下方向に複数設けて構成し、該茎葉搬送体（８１）の機枠の前後方向の中間部に根菜作物（４）の茎葉部（５）を切断する切断刃（６）を設け、該デバイダ（２）、引き抜き搬送装置（３）及び切断刃（６）を駆動する伝動機構を内装する駆動ケース（７）は、前記切断刃（６）の後方に配置し、該伝動ケース（７）の後方に伝動機構（９７）を介して引き抜き搬送装置（３）を駆動する無端搬送体駆動軸（７４）と前記切断刃（６）を備える茎葉部搬送装置（１２）を駆動する縦ギヤボックス（８２）とに駆動力を伝動する後方駆動ケース（５１）を配置し、伝動ケース（７）から後方駆動ケース（５１）に駆動力を伝動する連結ケース（６９）により後方駆動ケース（５１）と伝動ケース（７）とを連結し、前記デバイダ（２）の横方向の間隔は１５０ｍｍ〜２００ｍｍで構成し、前端部を鋭角状に形成したソイラ（４０）を設けるにあたり、前記デバイダ（２）の下端部に配置し、後端部を機体の前後方向に長く形成し、且つ後端部を走行車体（１０）の後部に立設した支柱（４８）の上端部に回動可能に設けて取り付けた前後フレーム（４２）の前端部に着脱自在に構成し、前後方向においてはデバイダ（２）を通る仮想線上に設けるように構成したことを特徴とする根菜作物収穫機とした。
【０００５】
【発明の作用】
収穫の目標とする圃場に植生している根菜作物４を両デバイダ２の間に合わせ、機体を移動して作業を開始する。すると、根菜作物４の茎葉部５は、前方に突出して後斜め上方に移動するデバイダ２のラグ１によって持ち上げられ、分草される。
【０００６】
そして、該根菜作物４は前端を圃場面近くに設けると共に後端を走行車体１０の後部上方に設けたフレーム２９の前後両端部に各々設けた回転体３０，３１に無端搬送体３２を巻き掛けて圃場に植生している根菜作物を引き抜き・搬送する引き抜き搬送装置３によって引き抜き搬送され、その後、引き抜き搬送装置３の無端搬送体３２によって搬送されてきた根菜作物４の茎葉部５は、前後方向に長い機枠の前後端部に各々回転可能に設けた輪体７８，７９に無端搬送帯８０を巻き掛けた茎葉搬送体８１を上下方向に複数設けて構成する茎葉部搬送装置１２に設ける切断刃６によって切断される。また、圃場条件や作物条件にあった高さを選択する場合には、伝動機構９７を介して引き抜き搬送装置３を駆動する無端搬送体駆動軸７４と前記切断刃６を備える茎葉部搬送装置１２を駆動する縦ギヤボックス８２とに駆動力を伝動する後方駆動ケース５１に連結ケース６９で連結される駆動機構を内装する伝動ケース７を回動中心としてデバイダ２及び引き抜き搬送装置３を一体に昇降する。
前端部を鋭角上に形成したソイラ４０によって根菜作物４近くの圃場面がほぐされる。
【０００７】
【発明の効果】
伝動ケース７の後方に伝動機構９７を介して引き抜き搬送装置３を駆動する無端搬送体駆動軸７４と前記切断刃６を備える茎葉部搬送装置１２を駆動する縦ギヤボックス８２とに駆動力を伝動する後方駆動ケース５１を配置し、該伝動ケース７から後方駆動ケース５１に駆動力を伝動する連結ケース６９により後方駆動ケース５１と伝動ケース７とを連結することによって、デバイダ２、引き抜き搬送装置３及び切断刃６の伝動構成が合理的になり、機体をコンパクトに構成できる。特に、デバイダ２及び引き抜き搬送装置３の回動中心である伝動機構９７を介して引き抜き搬送装置３を駆動する無端搬送体駆動軸７４と前記切断刃６を備える茎葉部搬送装置１２を駆動する縦ギヤボックス８２とに駆動力を伝動する後方駆動ケース５１に連結ケース６９で連結される駆動機構を内装する駆動ケース７は、切断刃６の後方にあるので、デバイダ２及び引き抜き搬送装置３の上昇量が大きくなるので、旋回やメンテナンスが容易となる。
また、デバイダ２の横方向の間隔は１５０ｍｍ〜２００ｍｍとしているので、作物に適応した間隔となる。
また、前端部を鋭角上に形成したソイラ４０は、前後方向においてはデバイダ２を通る仮想線上に設けるように構成しているので、引き抜き作業が容易となり、引き抜きミスが少なくなる。
【０００８】
【発明の実施の形態】
以下、本発明の実施の形態について説明する。
まず、その構成について説明すると、根菜作物４を収穫する根菜作物収穫機８は、ゴムを素材として成型し且つ進行方向に対して左右方向に所定間隔をおいて配置したクローラ型の走行装置９を具備する走行車体１０の前端部の右側部に運転部１１を配置し、左側部に搬送方向を機体の進行方向とほぼ平行に設けている引き抜き搬送装置３を配置し、該引き抜き搬送装置３の後方に茎葉部搬送装置１２を配置し、該茎葉部搬送装置１２の横側部で運転部１１の後方に作物収集部１３を配置している。
【０００９】
そして、該運転部１１は、平面視において、前進方向に向かって前側に操作パネル１４を有する操作部１５を設け、操作部１５の後方に運転者の座席１６などを設けている。
該操作パネル１４には、後方向（座席１６に座って前側に向かって運転者の手前側）に倒すことにより走行装置１０を駆動する伝動機構の走行クラッチ（図示せず）を切り、機体を右側又は左側に旋回できる操向レバー１７，１８を横方向に所定間隔をおいて並べて設けている。
【００１０】
そして、該操向レバー１７の近くで且つ右側部に、機体の回転各部の駆動元であり前記座席１６の下方に位置する走行車体１０に搭載した原動機（実施例ではエンジンである。図示せず）の起動または停止を手動操作するエンジンスイッチ１９を設けている。
さらに、操向レバー１５の左側方に、前側又は後側への倒し操作をすると、スイッチ２０又はスイッチ２１を入りにして昇降用の電磁弁２２を切り替え、これに関連して、油圧により昇降シリンダ２３を伸縮し、引き抜き搬送装置３の搬送始端部を昇降する昇降スイッチ２４を設けている。
【００１１】
左側の操作パネル１４は前部に設けたスロットルレバー２５の後方に、走行装置９を無段変速する流体静圧変速機（以下「ＨＳＴ」と呼ぶ）の斜板の作動を操作する変速レバー２７と、走行装置以外の回転各部の駆動・停止操作する作業レバー２８とを前後に配置している。
引き抜き搬送装置３は、前端を圃場面の近くに設けると共に後端を走行車体１０の後部上方に位置させて横方向に所定間隔をおいて並設したフレ−ム２９と、両フレーム２９の前後両端部に回転可能に設けている回転体３０，３１と、前後の回転体３０，３１に巻き掛けて張設した弾力性を有する無端搬送帯３２とを具備している。
【００１２】
なお、該両無端搬送帯３２は接触するように、フレ−ム２９の間隔を設定していると共に、図示していないが、両無端搬送帯３２の一部を、一方または両方を横方向に移動可能に設け、無端搬送帯３２の点検や詰まりを解除できるように構成している。
デバイダ２は圃場面近くに位置し且つ横方向に軸芯を有する回転輪体３３と、横方向に軸芯を有し回転輪体３３の斜め後方上部に位置する回転輪体３４と、所定間隔置きにラグ１を多数有し回転輪体３３，３４に巻き掛けた無端帯３５と、該回転輪体３３，３４、無端帯３５などを左右横方向から覆う覆体３６とを備えている。
【００１３】
そして、該デバイダ２は横方向に間隔（１５０〜２００ｍｍ）を置いて配置していると共に上端部を上部の回転輪体３４に伝動する伝動軸３７を内装した連結パイプ３８で一体に連結している。なお、該ラグ１は無端帯３５の回転に関連して、下端部において前方に突出し、その後、後方斜め上方に移動する構成である。３９は平板の前部を下方に向けて斜めに形成し、後端部を前記各デバイダ２の下端部に着脱自在に取り付けた分草体である。
【００１４】
また、４０は前端部を鋭角状に形成して各デバイダ２の下端部に位置し、後端部を、機体の前後方向に長く形成し、且つ後端部を走行車体１０の後部に立設した支柱４８の上端部に回動可能に設けて取り付けた前後フレ−ム４２の前端部に着脱自在に取り付けたソイラであって、前後方向において、デバイダ２を通る仮想線上に設けている。
【００１５】
なお、前後フレ−ム４２の中間部は前記昇降シリンダ２３に取り付け、前端部を下部支持体４３によりデバイダ２と連結・解除可能に構成している。
そして、また、右側のデバイダ２の上端部に伝動機構（回転可能に噛み合っているべべルギヤ）を内装したギヤボックス４４を取付け、該ギヤボックス４４に前後方向に軸芯を有し、後端部を伝動機構を内装して機枠に固定している駆動ケ−ス７に上下方向に回動可能に取付けると共に伝動軸４５を内装した中空の伝動パイプ４６を着脱自在に取り付けている。
【００１６】
回動フレ−ム４７は中空のパイプであって、走行車体１０の後部に立設して一体に設けた平面視コ状の支柱４８に固定している軸受４９に挿通すると共に左右両端部にフランジ５０を取り付けている。
そして、該回動フレ−ム４７の右側のフランジ５０に前記駆動ケ−ス７の一端部を着脱自在に設け、また左側部を別の駆動ケ−ス７を取り付けている。
【００１７】
駆動軸５２は駆動ケ−ス７、回動フレ−ム４７及び駆動ケ−ス７を挿通しており、駆動ケ−ス７に設けた軸受５３を介して回転可能に設けている。そして、駆動ケ−ス７における駆動軸５２に設けたベベルギヤ５４は前記伝動軸４５の後端部に設けたベベルギヤ５５と噛み合い伝動可能に設けている。
また、駆動軸５２の左側端部には一体に形成した輪体５６，５７を着脱自在に設けている。
【００１８】
端部に輪体５９，６０を着脱自在に取り付けているカウンタ−軸５８は、走行車体１０の中間部に左右方向に軸芯を有するように軸受を介して回転可能に設けている。そして、該右側の輪体５９と原動機の回転動力を伝動する輪体６１との間及び輪体６０と輪体５６との間に無端帯６２を巻き掛けて張設している。
６３は前記葉茎部搬送装置１２の中間部の下方位置に設けた尻根切断装置であって、左右方向に軸芯を有し、前後方向に間隔をおいて軸受を介して回転可能に設けた軸６４と、該軸６４に設けた外周部に切断刃を有する切断体６５と、該両切断体６５の回転軌跡から間隙をおいてこれに沿って設けた尻根切りガイド６５ａで構成している。
【００１９】
なお、該尻根切りガイド６５ａは左右方向に棒体（形状としては断面円形状のものがよいが、これにのみ限定されるものでない。また、棒体でなく、板状のものでもよい）を複数個設けており、そして、通常の大きさ以上の人参の尻部の侵入を防止する間隔に設けている。
そして、後側の軸６４は前側の軸６４よりも後方上方に位置し、左軸端部に着脱自在に設けた輪体６６と前記輪体５７との間に無端帯９３を巻き掛けて張設している。さらに、各軸６４に設けた輪体９４に無端帯９５を巻き掛けて張設している。
【００２０】
回動パイプ６７は前記支柱内に位置する回動フレ−ム４７の外側に遊嵌し、前後フレ−ム４７の後端部を平面視Ｕ状の取付け板９６に一体に設けている。
５１は駆動ケ−ス７の後方に位置し且つ駆動軸５２と略平行に配置した駆動軸６８を回転可能に設けた後方駆動ケ−スであって、伝動パイプ側に位置する駆動ケ−ス７に連結ケ−ス６９により一体に連結していると共に反対側部を連結板１０３で駆動ケ−ス７の左側端部と一体可能に連結している。
【００２１】
なお、連結ケ−ス６９は駆動ケ−ス７及び後方駆動ケ−ス５１に着脱自在に設け、また、回転可能に内装している連結ケ−ス軸７０の両端部にベベルギヤ７１を設けている。
該ベベルギヤ７１の一方は駆動軸５２に設けたベベルギヤ７２に噛み合い、他方のベベルギヤ７１は駆動軸６８に設けたベベルギヤ７３に噛み合って伝動可能に設けている。
【００２２】
７４は上端部に回転体３１に伝動する伝動機構９７を取り付け、下端部を後方駆動ケ−ス５１に軸受を介して回転可能に設けた無端搬送体駆動軸であって、この下端部に、駆動軸６８に取り付けたベベルギヤ７５に噛み合うベベルギヤ７６を設けている。
葉茎部搬送装置１２は前後方向に長い機枠の前後端部に回転可能に設けた輪体７８，７９に巻き掛けて張設した無端搬送体８０を左右方向に近接した葉茎搬送体８１を上下方向に所定間隔をおいて複数個（実施例では３個）設け、無端搬送体３２よって搬送されてきた根菜作物４の葉茎部５を受け継いで後方に向けて搬送する。
【００２３】
なお、上側の葉茎搬送体８１の搬送始端部は、下側に位置する葉茎搬送体８１の搬送途時で且つ搬送始端部よりも搬送方向側に偏位させて設けている。
そして、該葉茎部搬送装置１２の中間部に位置する各葉茎搬送体８１の機枠と駆動ケ−ス７とは、縦ギヤボックス８２を介して一体に連結し、この縦ギヤボックス８２に内装し、軸受を介して回転可能に設けている軸８３の上端部に前記駆動輪体９８を取付けると共に下端部に駆動軸５２に設けたベベルギヤ８４に噛み合うベベルギヤ８５を設けている。
【００２４】
そして、駆動輪体９８と、輪体７９を取り付けている軸９８、最下位置にある葉茎搬送体８１の輪体７９を取り付けている軸１０２及び後述する切断刃６を取り付けている軸１００の上端部に取り付けた各輪体１０１間に無端帯１０２を巻き掛けて葉茎搬送体８１を駆動する構成である。
なお、葉茎部搬送装置１２の上側に位置する葉茎搬送体８１及び下側に位置する葉茎搬送体８１は、中間部に位置する各葉茎搬送体８１から伝動機構を介して回転可能に構成しており、そして、下側に位置する葉茎搬送体８１の搬送始端部を中間部の葉茎搬送体８１の搬送始端部よりも前寄りに設けている。
【００２５】
さらに、中間部に位置する左右一対の葉茎搬送体８１の中間部には、下側の葉茎搬送体８１の後方で且つ無端搬送体８０の下面の延長上に横方向に回転して葉茎部の根本部を切り取る円盤式の切断刃６を、中間部の葉茎搬送体８１の機枠に回転可能に設けている。
なお、輪体６１と一体に設けた別の輪体９０は、前記ＨＳＴ２６を駆動する輪体９１との間に無端帯９２を巻き掛けて張設し、伝動可能に構成している。
【００２６】
また、デバイダ２、引き抜き搬送装置３、ソイラ４０、伝動パイプ４６および葉茎部搬送装置１２は、前記昇降シリンダ２３の伸縮に関連して、駆動ケ−ス７の軸芯を中心にして回動し、一体に昇降可能に構成している。
作物収集部１３は前記切断刃６によって切断され、下方に落下した果実部８７を横方向に搬送するコンベア８８、コンベア８８の搬送終端部に近接して設けたコンテナ８９などを設けている。
【００２７】
なお、該コンベア８８は駆動軸５２から出力される回転動力を、駆動軸５２の端部に取り付けた輪体、無端帯、コンベアギヤボックスに内装したベベルギヤなどの伝動機構を介して駆動する構成である。
つぎに、圃場に植生している野菜（実施例では人参）の収穫作業について説明する。
【００２８】
まず、運転者は運転部１１の座席１６に座ってエンジンスイッチ１９により原動機を起動すると、原動機からの回転動力は、輪体６１、無端帯６２、輪体５９及びカウンタ−軸５８に伝動され、また、輪体９０、無端帯９２及び輪体９１に伝動される。
つぎに、変速レバー２７を前進側に操作してＨＳＴ２６を介して機体を前進させ、操向レバー１７または１８を後側に倒して走行装置９を駆動する駆動軸（図示せず）への動力を入・切する左側サイドクラッチ又は右側サイドクラッチを作動して機体を左側又は右側に旋回させながら機体を収穫する畝に合わせる。
【００２９】
そして、機体の畝合わせを終えると、作業者は、変速レバー２７を操作して中立位置に戻し、機体の前進を停止する。
さらに、昇降スイッチ２４を操作してスイッチ２０又はスイッチ２１が入りにして昇降用の電磁弁２２切り替え、これに関連して、油圧により昇降シリンダ２３を伸縮して前後フレ−ム４２は駆動ケ−ス７を回動中心として昇降するので、作業者は昇降スイッチ２４を操作して引き起こし搬送装置３の高さを適正な位置にする。
【００３０】
なお、このとき、後方駆動ケ−ス５１も駆動ケ−ス７を回動中心として葉茎部搬送装置１２と一体に昇降する。すなわち、引き抜き搬送装置３の搬送始端側が上昇すると下降し、反対に、下降すると上昇する。
そして、作業レバー２８を入りに切り替えると、これに関連して、原動機から出力された回転動力は、輪体６０、無端帯６２、輪体５６に伝動されて駆動軸５２を回転し、さらに、輪体５７、無端帯９３、輪体６６、後側の軸６４、輪体９４、無端帯９５、輪体９４及び前側の軸６４に伝動されて切断刃６５を矢印方向に回転する。
【００３１】
さらに、駆動軸５２が回転すると、回転動力は、ベベルギヤ５４、５５、伝動軸４５、ギヤボックス４４の伝動機構、伝動軸３８を回転するので、これに関連して、デバイダ２のラグ１は輪体３３，３４及び無端帯３５を介して圃場面近くから後上がりに移動する。
さらに、回転動力は、ベベルギヤ７１，７２、連結ケ−ス軸７０及びベベルギヤ７１，７３に伝動されて駆動軸６８を回転するので、これに関連して、無端搬送体駆動軸７４はベベルギヤ７５，７６を介して回転して回転体３０，３１及び無端搬送体３２を回転する。
【００３２】
また、ベベルギヤ８４，８５を介して回転する軸８３の回転動力は、駆動輪体９８、輪体１０１、軸９９，１００，１０２、輪体７８，７９及び無端帯８０の各機器に伝動され、切断刃６および葉茎搬送体８１を駆動する。
さらに、駆動軸５２の端部に取り付けた輪体、無端帯、コンベアギヤボックスに内装したベベルギヤなどの伝動機構を介して作物収集部１３のコンベア８８を駆動する。
【００３３】
続いて、運転者はスロットルレバー２５を操作して原動機の回転数を所定の回転数にし、変速レバー２７を操作して機体を前進させ、さらに必要があれば操向レバー１７，１８を倒して機体の前進方向を修正操作して作業を開始する。
すると、分草体３９は収穫する人参からの左右方向に間隔をおいて両側から挟んだ状態で前進し、さらに、機体の前進に関連して、収穫する人参の葉茎部は、補助デバイダ（図示せず）によって隣接する人参の葉茎部と分離されデバイダ２側に寄せられるので、後上がりに移動するデバイダ２のラグ１は人参の葉茎部を持ち上げ、隣接する人参の葉茎部と分離する。
【００３４】
そして、ソイラ４０は根菜作物である人参の果実部８７の横側方に位置する土層を鋤いて緩め、また、引き抜き搬送装置３の無端搬送体３２は葉茎部５の下端部をキャッチングして人参を引き抜いて後方斜め上方に搬送する。
この搬送途時において、人参の尻根部は尻根切断装置６３の尻根ガイド６５ａに入り、上部では後方に向かって回転する切断刃６５により切断される。なお、尻根ガイド６５ａのガイドの左右方向の間隙は、商品価値のある通常の大きさの人参の果実部８７の尻部の侵入を防止するように設けているので、人参の移動を円滑にしながらも尻根の切断を精度よく行うことができる。
【００３５】
そして、該切断刃６５は人参の搬送方向に間隔をおいて設けているので、切断不良を防止でき、その後の作業を円滑にできる。
その後、無端搬送体３２の搬送終端部では、葉茎部５の一部は、葉茎部搬送装置１２の下側に位置する葉茎搬送体８１の無端搬送体８０によって挟持され後方に向けて搬送されるが、この搬送途時で、人参の上側への移動を阻止し、人参の首揃いを行う。
【００３６】
また、この搬送途時において、葉茎部５は中間部及び上側に位置する葉茎搬送体８１の無端搬送体８０によって挟持され後方に向けて搬送される。そして、この搬送途時において、葉茎部５は下側の葉茎搬送体８１の無端搬送体８０から離脱した後、内側に向けて回転する左右並設した切断刃６によって果実部８７の肩から所定位置（例えば３ｍｍ前後）の所を切断される。
【００３７】
そして、切断された葉茎部５は両葉茎搬送体８１の無端搬送体８０によって後方に搬送されて機外に排出され、一方、落下した人参の果実部８７はコンベア８８によって横側方に搬送されコンテナ８９に収容される。
また、引き抜き搬送装置３は伝動機構を内装している駆動ケ−ス７を回動中心に設けているので、外部における伝動機構を簡素化できると共に機体のコンパクト化を図れる。
【００３８】
さらに、中間部及び上側に位置する葉茎搬送体８１の無端搬送体８０の従動側の輪体７９は、前後方向において駆動輪体９８よりも後方に設けているので、切断した葉茎部５の搬送・排出が円滑になり、作業能率を向上することができる。
そして、上側に位置する葉茎搬送体８１の搬送始端部は下側に位置する葉茎搬送体８１の搬送途時で且つ搬送始端部よりも後側、すなわち、搬送側に位置するように偏位しているので、人参の首揃い及び葉茎部５の搬送を円滑にできる。
【図面の簡単な説明】
【図１】  根菜作物収穫機の側面図。
【図２】  根菜作物収穫機の平面図。
【図３】  ギヤケ−スの平断面図。
【図４】  引き抜き搬送装置を回動した根菜作物収穫機の側面図。
【図５】  ブロック回路。
【符号の説明】
１          ラグ
２          デバイダ
３          引き抜き搬送装置
４          根菜作物
５          茎葉部
６          切断刃
７          駆動ケース
１０          走行車体
１２ 茎葉部搬送装置
２９ フレーム
３０，３１ 回転体
４０          ソイラ
４２          前後フレーム
４８ 支柱
５１ 後方駆動ケース
７４ 無端搬送体駆動軸
７８，７９ 輪体
８０ 無端搬送体
８１ 茎葉搬送体
８２ ギヤボックス
９７ 伝動機構
【図１】
0003921786.tif 000002
【図２】
0003921786.tif 000003
【図３】
0003921786.tif 000004
【図４】
0003921786.tif 000005
【図５】
0003921786.tif 000006